(57)【要約】【課題】    本発明の目的は、扇風機の風等の影響を受けることなく、効果的に人の近傍に蚊等の害虫を寄せ付けない扇風機を提供することである。【解決手段】  特定周波数の超音波を超音波発信機により発生させることにより、蚊取り線香等のように扇風機の風等の影響を受けることなく、効果的に人の近傍に蚊等の害虫を寄せ付けなくするものであり、この特定周波数の超音波を効果的に発生させる超音波発信機を扇風機に備える構成とするものである。【選択図】    図５
2005140093.tif 000002
【特許請求の範囲】
【請求項１】
ファンと、このファンを駆動するファンモータと、このファンモータの運転条件を設定するための操作部と、この操作部で設定された運転条件に応じて前記ファンモータを駆動制御する制御部と、蚊等の害虫が嫌う周波数の超音波を発生する超音波発信機とを備えたことを特徴とする扇風機。
【請求項２】
請求項１記載の扇風機において、前記超音波発信機は前記ファンモータの駆動制御状態に応じて発振制御されることを特徴とする扇風機。
【請求項３】
請求項１記載の扇風機において、前記超音波発信機は前記ファンモータの非駆動制御時にのみ発振することを特徴とする扇風機。
【請求項４】
請求項１記載の扇風機において、前記制御部が前記ファンモータを繰り返しオン、オフ制御する状況にて、前記超音波発信機は前記ファンモータのオフ時に発振するとともに前記ファンモータのオン時に発振停止することを特徴とする扇風機。
【請求項５】
請求項１記載の扇風機において、前記超音波発信機による超音波発振の強弱は前記超音波発信機の発振・発振停止の繰り返し比率を変更することにより設定するものであり、前記ファンモータの強駆動制御時には前記繰り返し比率は弱い超音波発振が行われるように変更されるとともに、前記ファンモータの弱駆動制御時には前記繰り返し比率は強い超音波発振が行われるように変更されることを特徴とする扇風機。
【請求項６】
請求項１記載の扇風機において、前記超音波発信機は発振・発振停止を繰返すものであって、この繰返し比率を逐次変化させることを特徴とする扇風機。
【請求項７】
ファンと、このファンを駆動するファンモータと、このファンモータの運転条件を設定するための操作部を有するリモコン端末と、このリモコン端末で設定された運転条件に応じて前記ファンモータを駆動制御する制御部と、前記リモコン端末に設けられ、蚊等の害虫が嫌う周波数の超音波を発生する超音波発信機とを備えたことを特徴とする扇風機。
【発明の詳細な説明】
【技術分野】
【０００１】
本発明は扇風機に関するものである。
【背景技術】
【０００２】
蚊等の害虫を除去する為の一般的な方策として、蚊取り線香等がある。このようなものは、蚊等の害虫を除去する成分である空気よりも比重の重い有効成分（ピレスロイド等）により蚊等の害虫を除去する。
【０００３】
ところで、上記蚊取り線香等の傍で扇風機（例えば、特許文献１参照）を使用すると、扇風機からの送風により、蚊取り線香等からの空気よりも比重の重い有効成分が、人体の近傍から撒き散らされてしまい、蚊の除去効果が半減してしまうという問題があった。
【特許文献１】特許第２７８６９４９号公報
【発明の開示】
【発明が解決しようとする課題】
【０００４】
本発明は、このような問題を解決する為になされたものであり、送風があっても蚊等の害虫を効果的に人体の近傍に寄せ付けないようにできる扇風機を提供することにある。
【課題を解決するための手段】
【０００５】
上記課題を解決するための請求項１に記載の扇風機は、ファンと、このファンを駆動するファンモータと、このファンモータの運転条件を設定するための操作部と、この操作部で設定された運転条件に応じて前記ファンモータを駆動制御する制御部と、蚊等の害虫が嫌う周波数の超音波を発生する超音波発信機とを備えたことを特徴とする。
【０００６】
請求項２に記載の扇風機は、請求項１において、前記超音波発信機は前記ファンモータの駆動制御状態に応じて発振制御されることを特徴とする。
【０００７】
請求項３に記載の扇風機は、請求項１において、前記超音波発信機は前記ファンモータの非駆動制御時にのみ発振することを特徴とする。
【０００８】
請求項４に記載の扇風機は、請求項１において、前記制御部が前記ファンモータを繰り返しオン、オフ制御する状況にて、前記超音波発信機は前記ファンモータのオフ時に発振するとともに前記ファンモータのオン時に発振停止することを特徴とする。
【０００９】
請求項５に記載の扇風機は、請求項１において、前記超音波発信機による超音波発振の強弱は前記超音波発信機の発振・発振停止の繰り返し比率を変更することにより設定するものであり、前記ファンモータの強駆動制御時には前記繰り返し比率の弱い超音波発振が行われるように変更されるとともに、前記ファンモータの弱駆動制御時には前記繰り返し比率の強い超音波発振を行われるように変更されることを特徴とする。
【００１０】
請求項６に記載の扇風機は、請求項１において、前記超音波発信機は発振・発振停止を繰返すものであって、この繰返し比率を逐次変化させることを特徴とする。
【００１１】
請求項７に記載の扇風機は、ファンと、このファンを駆動するファンモータと、このファンモータの運転条件を設定するための操作部を有するリモコン端末と、このリモコン端末で設定された運転条件に応じて前記ファンモータを駆動制御する制御部と、前記リモコン端末に設けられ、蚊等の害虫が嫌う周波数の超音波を発生する超音波発信機とを備えたことを特徴とする。
【発明の効果】
【００１２】
本発明の請求項１の構成によれば、扇風機に備えられた超音波発信機により、蚊等の害虫の嫌う特定の周波数の超音波を発生させることができ、この超音波により扇風機の風の影響を受けることなく、蚊等の害虫を扇風機を使用する人体の近傍に寄せ付けないようにできる。
【００１３】
本発明の請求項２の構成によれば、超音波発信機はファンモータの駆動制御状態に応じて発振制御される。従って、例えば、ファンモータの駆動制御により扇風機の風が強く、蚊等の害虫が吹き飛ばされて扇風機の風に当っている人に容易には近づけない場合、超音波発信機は発振停止する。これにより、超音波発信機を不必要に発振させるのを抑制できる。
【００１４】
本発明の請求項３の構成によれば、ファンモータが非駆動時で蚊等の害虫を忌避させる必要がある時のみ超音波発信機を発振することにより、効果的に超音波発信機を発振制御することができる。
【００１５】
本発明の請求項４の構成によれば、ファンモータのオン、オフ駆動状態において、ファンモータのオン時に生じる風により蚊等の害虫が吹き飛ばされる時は、超音波発信機を発振せず、ファンモータのオフ時の超音波発信機を必要とする時のみ超音波発振することができ、効果的な超音波発振を行うことができる。
【００１６】
本発明の請求項５の構成によれば、ファンモータの駆動によって生じる風の強弱によって、蚊等の害虫が吹き飛ばされる度合いが変化することを考慮して効果的な超音波発振を行うことができる。
【００１７】
本発明の請求項６の構成によれば、制御部により超音波発信機の発振・発振停止を繰返す比率を変化させることにより、オス蚊等の害虫の羽音とより類似させることができ、この超音波により扇風機の風に影響を受けることなく、効果的に蚊等の害虫を扇風機を使用する人体の近傍に寄せ付けないようにできる。
【００１８】
本発明の請求項７の構成によれば、扇風機を使用する人の近傍に置くリモコン端末に、蚊等の害虫が嫌う周波数の超音波を発生する超音波発信機を備えることにより、人のより近傍で効果的に蚊等の害虫を寄せ付けない効能を得ることができる。また、このリモコン端末は単独で蚊忌避装置として使用でき、携帯用の蚊撃退器とすることができる。
【発明を実施するための最良の形態】
【００１９】
次に図面を参照しながら本発明を詳細に説明する。図1は本発明の一実施例である、リモコン端末を備えた扇風機の側面図を示す。図１に示すように、扇風機1は、ファン２を回転させるファンモータ３、首振り装置4、ファンモータ３や首振り装置4を支えるためのスタンドベース５、このスタンドベースに着脱自在に配置されるリモコン端末６などからなる。スタンドベース1には、リモコン端末６からの信号を受信するための受信部７とファンモータ３を制御するための制御部８が設けられている。
【００２０】
図２及び図３はリモコン端末６の平面図及び一部破断側面図を示す。図２及び図３に示すように、リモコン端末６は、扇風機１に信号を送信するためのリモコン送信部９、超音波発信機１０、操作部１１、リモコン側制御部１２などからなる。操作部１１は、扇風機入切スイッチ１３、風量スイッチ１４、タイマースイッチ１５、超音波入切スイッチ１６などが設けられている。
【００２１】
また、リモコン端末６には、超音波発信機１０の電源オン時に点灯するとともに電源オフ時には消灯するＬＥＤ１７が設けられている。
【００２２】
通常、蚊の中で人間の血を吸うのは特定の時期（産卵期）の雌蚊のみであり、その時期の雌蚊は雄蚊を極端に避けるという習性を持つ。本発明はこの習性を利用したもので、超音波発信機１０は雄蚊の羽音と勘違いさせる特定周波数の超音波を発生させることにより、人間の血を吸う蚊を寄せ付けないようにするものである。
【００２３】
図４は本発明の扇風機の制御ブロック図を示す。図４に示すように、リモコン側制御部１２は、操作部１１からの信号に応じて、超音波発信機１０の発振制御を行うとともに、ファンモータ３を制御するための制御部８に信号を送信するものである。
【００２４】
次に本発明の扇風機の動作の一例を、リモコン側制御部１２の制御状態を示す図５のフローチャートを用いて説明する。
【００２５】
超音波入切スイッチ１６がＯＦＦの状態（Ｓ１）で、扇風機入切スイッチ１３がＯＮの場合（Ｓ２）には、風量スイッチ１４の信号に基づき、リモコン側制御部１２は制御部８へ信号を送信する（Ｓ３）。扇風機の運転モードは、風量スイッチ１４を押す毎に、「弱風運転」、「リズム運転（間欠運転）」、「標準運転」、「強風運転」と順送りで切換わり、この風量スイッチ１４の信号に応じて、リモコン側制御部１２は、ファンモータ３を制御する制御部８へ信号を送信する。
【００２６】
超音波入切スイッチ１６がＯＮの状態であるだけの場合（Ｓ４：扇風機入切スイッチ１３がＯＦＦの場合）は、超音波発振機１０の連続運転となる（Ｓ５）。
【００２７】
次に超音波入切スイッチ１６がＯＮ時（Ｓ１）に扇風機入切スイッチ１３がＯＮの状態（Ｓ４）で、風量スイッチ１４を操作する場合を説明する。扇風機の運転モードは、風量スイッチ１４を押す度に、「弱風運転」、「リズム運転（間欠運転）」、「標準運転」、「強風運転」と順送りで切換わるものである。
【００２８】
「弱風運転」の時（Ｓ６）は、超音波発信機１０の発振・発振停止の繰り返し比率を強く（３０秒ＯＮ  ３０秒ＯＦＦ）するよう発振制御を行うとともに、制御部８にファンモータ３を弱駆動制御する信号を送信する（Ｓ７）。
【００２９】
「リズム運転（間欠運転）」であれば（Ｓ８）、ファンモータ３のＯＦＦ時に超音波発信機１０を同期して発振し、ファンモータ３のＯＮ時に超音波発信機１０を同期して発振停止するように、超音波発信機１０およびファンモータを制御（Ｓ９）する。具体的には、ファンモータＯＦＦ信号送出とともに超音波発振機１０を発振させ、ファンモータＯＮ信号送出とともに超音波発振機１０を発振停止させる。
【００３０】
「標準運転」であれば（Ｓ１０）、超音波発信機１０の発振・発振停止の繰り返し比率を標準（２０秒ＯＮ  ４０秒ＯＦＦ）にするように発振制御するとともに、制御部８にファンモータ３を標準駆動制御する信号を送信する（Ｓ１１）。
【００３１】
上記以外のモードであれば「強風運転」となる（Ｓ１２）。「強風運転」の場合は、超音波発信機１０の発振・発振停止の繰り返し比率を弱く（５秒ＯＮ  ５５秒ＯＦＦ）するよう発振制御するとともに、制御部８にファンモータ３を強駆動制御する信号を送信する（Ｓ１２）。
【００３２】
このように本発明の扇風機は、超音波を利用することにより蚊取り線香等のように扇風機の風の影響を受けること無く、効果的に蚊等の害虫を扇風機を使用する人体の近傍に寄せ付けないようにできる。
【００３３】
また、ファンモータ３の駆動状態に応じて超音波発信機８を発振制御することにより、具体的には、「弱風運転」時のように、ファンモータ３による風が微風の時に超音波発振の繰り返し比率の強くしたり、「標準運転」時のように、ファンモータ３による風が標準の時に超音波発振の繰り返し比率の標準にしたり、「強風運転」時のように、ファンモータ３による風が強風の時に超音波発振の繰り返し比率の弱くしたりすることが可能となる。これにより、扇風機の風の強弱によって蚊等の害虫が吹き飛ばされる度合いが変化することを考慮し、効果的な超音波の発振制御を行うことが可能となる。
【００３４】
さらに、ファンモータ３の駆動状態に応じて、超音波発信機８を同期して発振制御することにより、具体的には、「リズム運転（間欠運転）」の時のように、ファンモータ３による風で蚊等の害虫が吹き飛ばされる時は超音波発信機８を発振せず、ファンモータ３による風が無い時で蚊等の害虫を忌避する必要がある時のみ、超音波発振機１０を発振制御することが可能となり、必要な時のみ超音波発振し効率的な発振制御を行うことができる。
【００３５】
また、扇風機を使用する人の近傍に置くリモコン端末６に超音波発信機１０を配設することにより、より効果的に蚊等の害虫を人体の近傍に寄せ付けないようにすることができる。また、このリモコン端末６は単独で蚊忌避装置として使用可能で、携帯用の蚊撃退器とすることが可能である。
【００３６】
さらに、制御部により超音波発信機１０の発振・発振停止を繰返す状況において、その繰り返し比率を逐次変化させることも可能であり、この場合、オス蚊等の害虫の羽音とより類似する比率に設定でき、より効果的に蚊等の害虫を扇風機を使用する人体の近傍に寄せ付けないようにできる。
【産業上の利用可能性】
【００３７】
本発明の活用例として、リモコン端末単体で蚊避け装置として活用することができる。
【図面の簡単な説明】
【００３８】
【図１】本発明実施例の扇風機の側面図である。
【図２】リモコン端末の平面図である。
【図３】同リモコン端末の一部破断側面図である。
【図４】扇風機の制御ブロック図である。
【図５】扇風機の制御内容を示すフローチャートである。
【符号の説明】
【００３９】
１    扇風機
２    ファン
３    ファンモータ
４    首振り装置
５    スタンドベース
６    リモコン端末
７    受信部
８    制御部
９    リモコン送信部
１０  超音波発振機
１２  リモコン側制御部
１３  扇風機入切スイッチ
１４  風量スイッチ
１５  タイマースイッチ
１６  超音波入切スイッチ
１７  ＬＥＤ
【図１】
2005140093.tif 000003
【図２】
2005140093.tif 000004
【図３】
2005140093.tif 000005
【図４】
2005140093.tif 000006
【図５】
2005140093.tif 000007